(57)【要約】  【課題】  盤面上に複数の非電動式の入賞手段を備え、盤面裏に払出装置を備えたパチンコ遊技機において、各入賞手段毎にその重要度を変化させることによって、面白みを与えるパチンコ遊技機を提供する。  【解決手段】  盤面上に、遊技球が入賞することによって所定量の遊技球を払い出す非電動式の第１入賞手段６０ａ，６０ｂ，６０ｃと、遊技球が入賞することによって所定量の遊技球を払い出すと共に他の入賞手段を動作させる非電動式の第２入賞手段３０ａ，３０ｂ，３０ｃとを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なる。  【選択図】図２
2006305238.tif 000002
【特許請求の範囲】
【請求項１】
盤面上に、遊技球が入賞することによって所定量の遊技球を払い出す非電動式の第１入賞手段と、遊技球が入賞することによって所定量の遊技球を払い出すと共に他の入賞手段を動作させる非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とするパチンコ遊技機。
【請求項２】
盤面上に、遊技球が入賞することによって所定量の遊技球を払い出す非電動式の第１入賞手段と、遊技球が入賞することによって所定量の遊技球を払い出すと共に前記第１入賞手段を動作させる非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とするパチンコ遊技機。
【請求項３】
盤面上に、該盤面上の略中央に配置された遊技球を振り分ける盤面構造物と、該盤面構造物を通過した遊技球が入賞することによって所定量の遊技球を払い出す非電動式の第１入賞手段と、前記盤面構造物を通過しない遊技球が入賞することによって所定量の遊技球を払い出す非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とするパチンコ遊技機。
【請求項４】
盤面上を遊技球が通過し易い領域と、遊技球が通過し難い領域とに分け、前記通過し易い領域に非電動式の第１入賞手段を備え、前記遊技球が通過し難い領域に非電動式の第２入賞手段を備えるパチンコ遊技機であって、盤面裏に前記第１入賞手段及び／又は前記第２入賞手段に遊技球が入賞した場合に所定数量の遊技球を払い出す払出装置を備え、前記第１入賞手段よりも、前記第２入賞手段の方が払い出す遊技球の数が多いことを特徴とするパチンコ遊技機。
【請求項５】
盤面上に、遊技球を振り分ける振分装置を備えることを特徴とする請求項１から４のいずれかに記載のパチンコ遊技機。
【請求項６】
盤面裏に、カードリーダーユニットと接続可能な機構が備えられていることを特徴とする請求項１から５のいずれかに記載のパチンコ遊技機。
【発明の詳細な説明】
【技術分野】
【０００１】
本発明は、パチンコ遊技機に関する。詳しくは、非電動式の複数の入賞手段を備えたパチンコ遊技機に関する。
【背景技術】
【０００２】
従来より、パチンコ遊技機の盤面を高さ方向に複数のグループ分けを行い、そのグループ毎に入賞手段を設置し、その入賞手段に遊技球が入賞した場合には、グループ毎に一度に払い出す遊技球の数を異ならせているものは知られている（特許文献１参照）。
【特許文献１】特公昭６２−３１９５４号公報
【発明の開示】
【発明が解決しようとする課題】
【０００３】
しかしながら、上記パチンコ遊技機では、上方のグループに設置された入賞手段に入賞した場合の遊技球の払い出し数量が一番多く、下方のグループに設置された入賞手段に入賞した場合の遊技球の払い出し数量が一番少なくなるようなパチンコ盤面裏の構造となっていたので、入賞手段の設置位置に制約があり、その自由度は小さいものであった。
【０００４】
また、一つの入賞手段に遊技球が入賞して所定数量の遊技球が払い出されるだけでは単純であり、一つの入賞手段に遊技球が入賞すると、他の入賞手段に影響を与える方が複雑である。さらには、所定の分類に従って入賞手段をグループ分けし、グループ分けした入賞手段毎に遊技球の払い出し数量に変化を与えれば複雑さが広がり、自由度が大きくなる。
【０００５】
本発明は上記点に鑑み、盤面上に複数の非電動式の入賞手段を備え、盤面裏に払出装置を備えたパチンコ遊技機において、各入賞手段毎にその重要度を変化させることによって、面白みを与えるパチンコ遊技機を提供することを目的とする。
【課題を解決するための手段】
【０００６】
請求項１の発明は、盤面上に、遊技球が入賞することによって所定量の遊技球を払い出す非電動式の第１入賞手段と、遊技球が入賞することによって所定量の遊技球を払い出すと共に他の入賞手段を動作させる非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とする。したがって、例えば、第１入賞手段に遊技球が１個入賞した場合には５個の遊技球が払い出されるように設定するのである。また、第２入賞手段に遊技球が１個入賞した場合には１０個の遊技球が払い出されると共に、他の入賞手段を動作させる（例えば、チューリップ形状の入賞手段を開口させる）ように設定するのである。
【０００７】
請求項２の発明は、盤面上に、遊技球が入賞することによって所定量の遊技球を払い出す非電動式の第１入賞手段と、遊技球が入賞することによって所定量の遊技球を払い出すと共に前記第１入賞手段を動作させる非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とする。したがって、例えば、第２入賞手段に遊技球が１個入賞した場合には１０個の遊技球が払い出されると共に、第１の入賞手段を動作させる（例えば、開閉式のアタッカー形状の入賞手段に遊技球が入賞できる開口部を開口させる）ように設定するのである。そして、開口した第１入賞手段に遊技球が１個入賞した場合には１５個の遊技球が払い出されるように設定するのである。このように設定すれば、入賞した遊技球が２個で、合計２５個の遊技球を獲得することができるのである。
【０００８】
請求項３の発明は、盤面上に、該盤面上の略中央に配置された遊技球を振り分ける盤面構造物と、該盤面構造物を通過した遊技球が入賞することによって所定量の遊技球を払い出す非電動式の第１入賞手段と、前記盤面構造物を通過しない遊技球が入賞することによって所定量の遊技球を払い出す非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とする。したがって、例えば、盤面構造物を通過した遊技球が第１入賞手段に１個入賞した場合には５個の遊技球が払い出されるように設定するのである。また、盤面構造物を通過しない遊技球が第２入賞手段に１個入賞した場合には１０個の遊技球が払い出されるように設定するのである。
【０００９】
請求項４の発明は、盤面上を遊技球が通過し易い領域と、遊技球が通過し難い領域とに分け、前記通過し易い領域に非電動式の第１入賞手段を備え、前記遊技球が通過し難い領域に非電動式の第２入賞手段を備えるパチンコ遊技機であって、盤面裏に前記第１入賞手段及び／又は前記第２入賞手段に遊技球が入賞した場合に所定数量の遊技球を払い出す払出装置を備え、前記第１入賞手段よりも、前記第２入賞手段の方が払い出す遊技球の数が多いことを特徴とする。したがって、例えば、遊技球が通過し易い領域に設置した第１入賞手段に遊技球が１個入賞した場合には５個の遊技球が払い出されるように設定するのである。また、遊技球が通過し難い領域に設置した第２入賞手段に遊技球が１個入賞した場合には１０個の遊技球が払い出されるように設定するのである。
【００１０】
請求項５の発明は、請求項１から４の発明において、盤面上に、遊技球を振り分ける振分装置を備えることを特徴とする。
【００１１】
請求項６の発明は、請求項１から５の発明において、盤裏に、カードリーダーユニットと接続可能な機構が備えられていることを特徴とする。
【発明の効果】
【００１２】
請求項１の発明は、盤面上に、遊技球が入賞することによって所定量の遊技球を払い出す非電動式の第１入賞手段と、遊技球が入賞することによって所定量の遊技球を払い出すと共に他の入賞手段を動作させる非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とするので、他の入賞手段を動作させる入賞手段と、動作させない入賞手段とで払い出す遊技球の数量を異ならせることで自由度が広がる。
【００１３】
請求項２の発明は、盤面上に、遊技球が入賞することによって所定量の遊技球を払い出す非電動式の第１入賞手段と、遊技球が入賞することによって所定量の遊技球を払い出すと共に前記第１入賞手段を動作させる非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とするので、請求項１の効果と同様に自由度が広がる。
【００１４】
請求項３の発明は、盤面上に、該盤面上の略中央に配置された遊技球を振り分ける盤面構造物と、該盤面構造物を通過した遊技球が入賞することによって所定量の遊技球を払い出す非電動式の第１入賞手段と、前記盤面構造物を通過しない遊技球が入賞することによって所定量の遊技球を払い出す非電動式の第２入賞手段とを備えるパチンコ遊技機であって、盤面裏に前記第１入賞手段及び／又は前記第２入賞手段に遊技球が入賞した場合に所定数量の遊技球を払い出す払出装置を備え、前記第１入賞手段と、前記第２入賞手段とでは払い出す遊技球の数が異なることを特徴とするので、盤面構造物を通過した場合と通過しない場合とで払い出す遊技球の数量を異ならせることで自由度が広がる。
【００１５】
請求項４の発明は、盤面上を遊技球が通過し易い領域と、遊技球が通過し難い領域とに分け、前記通過し易い領域に非電動式の第１入賞手段を備え、前記遊技球が通過し難い領域に非電動式の第２入賞手段を備えるパチンコ遊技機であって、盤面裏に前記第１入賞手段及び／又は前記第２入賞手段に遊技球が入賞した場合に所定数量の遊技球を払い出す払出装置を備え、前記第１入賞手段よりも、前記第２入賞手段の方が払い出す遊技球の数が多いことを特徴とするので、遊技球が通過し易い領域と通過し難い領域とで払い出す遊技球の数量を異ならせることで自由度が広がる。
【００１６】
請求項５の発明は、請求項１から４の発明において、盤面上に、遊技球を振り分ける振分装置を備えることを特徴とするので、上記請求項１〜４の効果に加え、振分装置により遊技球の挙動に変化を与えることで自由度が広がる。
【００１７】
請求項６の発明は、請求項１から５の発明において、盤裏に、カードリーダーユニットと接続可能な機構が備えられていることを特徴とするので、上記請求項１〜５のパチンコ遊技機はプリペイドカードで使用することができ、便利である。
【発明を実施するための最良の形態】
【００１８】
次に本発明の実施形態を図面を用いて説明する。図１は本発明に係るパチンコ遊技機の全体を示す正面図である。この図を用いてパチンコ遊技機の概略を説明する。
【００１９】
まず、パチンコ遊技機１には、内枠２が開閉可能に備えられており、その内枠２には、金枠３が開閉可能に取り付けられており、さらに金枠３には、ガラス枠４が開閉可能に取り付けられている。ガラス枠４の裏面側には、遊技盤５が配置されており、この遊技盤５の左方には、発射された遊技球を案内するガイドレール６が設けられている。内枠２の右側には、ガラス枠４開閉用の鍵を差し込む鍵穴７を備えた鍵穴飾り８が設けられており、内枠２の上方には、枠ランプ９が設けられている。
【００２０】
ガラス枠４の下には、前面板１１が設けられており、この前面板１１の左側上部には、遊技球が排出される上皿遊技球排出口１２が形成されており、この上皿遊技球排出口１２の排出側には、その上皿遊技球排出口１２から排出された遊技球を溜めておくための上皿１３が取り付けられている。上皿１３の下方には、その上皿１３で収容しきれなくなった遊技球を排出するための下皿遊技球排出口１４が形成されており、この下皿遊技球排出口１４の排出側には、その下皿遊技球排出口１４から排出された遊技球を溜めておくための下皿１５が設けられている。
【００２１】
下皿１５の右方には、上皿１３から供給された遊技球を遊技盤５へ発射する発射モータ（図示せず）を操作するための発射ハンドル１６が、回転可能に取り付けられており、その発射ハンドル１６には、発射途中で発射を停止するための発射停止ボタン１７が設けられている。
【００２２】
また、上皿１３の右方には、上皿１３に溜められた遊技球を下皿１５へ抜くための上皿球抜きレバー１８がスライド可能に取り付けられている。
【００２３】
さらに、内枠２の左側にはプリペイドカードを挿入するスリット１９ａを有するカードリーダーユニット１９が設けられている。
【００２４】
図２は本発明の第１の実施形態を示す正面図である。この図に示すように、遊技盤には、遊技盤の中央に配置された盤面構造物（振分装置と言う場合もある。）と、複数種類の入賞手段と、風車と、釘とにより構成されている。
【００２５】
そして、複数種類の入賞手段を、その入賞手段に遊技球が入賞した場合に他の入賞手段を動作させるもの（第２入賞手段と言う。）と、他の入賞手段を動作させないもの（第１入賞手段と言う。）とで分類すると以下のように分類することができる。
【００２６】
第２入賞手段は、１０，３０ａ，３０ｂ，３０ｃ，４０ａ，４０ｂであり、第１入賞手段は、２０ａ，２０ｂ，５０ａ，５０ｂ，５０ｃ，６０ａ，６０ｂ，６０ｃである。
【００２７】
ここで、第２入賞手段１０に遊技球が入賞すると、第１入賞手段５０ｂのチューリップ形状の羽根が開き、遊技球の入賞が可能となるのである。同様にして、第２入賞手段４０ａに遊技球が入賞すると、第１入賞手段５０ａのチューリップ形状の羽根が開き、第２入賞手段４０ｂに遊技球が入賞すると、第１入賞手段５０ｃのチューリップ形状の羽根が開くのである。
【００２８】
また、第２入賞手段３０ａに遊技球が入賞すると、第１入賞手段６０ａ，６０ｂのアタッカー形状の扉が開き、第２入賞手段３０ｃに遊技球が入賞すると、第１入賞手段６０ｂ，６０ｃのアタッカー形状の扉が開き、遊技球の入賞が可能となるのである。
【００２９】
さらに、第２入賞手段３０ｂに遊技球が入賞すると、第１入賞手段６０ａ，６０ｂ，６０ｃのアタッカー形状の扉が全て開くのである。
【００３０】
そして、例えば、第２入賞手段に遊技球が１個入賞した場合には、遊技球が５個払い出されるように設定し、第１入賞手段に遊技球が１個入賞した場合には、遊技球が１０個払い出されるように、第２入賞手段と、第１入賞手段とでは異なる数量の遊技球が払い出されるように設定するのである。
【００３１】
したがって、例えば、第２入賞手段３０ｂに遊技球が１個入賞し、第１入賞手段６０ａ，６０ｂ，６０ｃのアタッカー形状の扉が全て開いた後、この第１入賞手段６０ａ，６０ｂ，６０ｃに各１個の遊技球が入賞した場合には、５＋１０＋１０＋１０で、合計３５個の遊技球が払い出されるのである。
【００３２】
図３は本発明に係るパチンコ遊技機の第２の実施形態を示す正面図である。この実施形態の遊技盤も、遊技盤の中央に配置された盤面構造物（振分装置と言う場合もある。）と、複数種類の入賞手段と、風車と、釘とにより構成されている。
【００３３】
そして、複数種類の入賞手段を、盤面構造物を通過した後に入賞するもの（第１入賞手段と言う。）と、盤面構造物を通過しないで入賞するもの（第２入賞手段と言う。）とで分類すると以下のように分類することができる。
【００３４】
第１入賞手段は、９０であり、第２入賞手段は、７０ａ，７０ｂ，７０ｃ，８０ａ，８０ｂ，８０ｃ，８０ｄ，１００ａ，１００ｂ，１１０ａ，１１０ｂ，１１０ｃ，１１０ｄ，１２０である。
【００３５】
ここで、第１入賞手段９０に遊技球が１個入賞すると、第２入賞手段１１０ａ，１１０ｂ，１１０ｃ，１１０ｄのアタッカー形状の扉が開き、遊技球の入賞が可能となるのである。
【００３６】
また、第２入賞手段１００ａ又は１００ｂのどちらかに遊技球が１個入賞すると、第２入賞手段１２０のチューリップ形状の羽根が開き、遊技球の入賞が可能となるのである。
【００３７】
そして、例えば、第１入賞手段に遊技球が１個入賞した場合には、遊技球が５個払い出されるように設定し、第２入賞手段に遊技球が１個入賞した場合には、遊技球が１０個払い出されるように、第１入賞手段と、第２入賞手段とでは異なる数量の遊技球が払い出されるように設定するのである。
【００３８】
尚、第２入賞手段を２つに分け、７０ａ，７０ｂ，７０ｃ，８０ａ，８０ｂ，８０ｃ，８０ｄ，１００ａ，１００ｂに遊技球が１個入賞した場合には遊技球が１０個払い出されるようにし、第２入賞手段１１０ａ，１１０ｂ，１１０ｃ，１１０ｄ，１２０に遊技球が１個入賞した場合には遊技球が１５個払い出されるようにしてもよい。
【００３９】
また、図３を用いて第３の実施形態を説明する。この第３の実施形態は、盤面上を遊技球が通過し易い領域と、遊技球が通過し難い領域とに分け、通過し易い領域に第１入賞手段を設置し、遊技球が通過し難い領域に第２入賞手段を設置するのである。この分類では、以下のように分類することができる。
【００４０】
第１入賞手段は、７０ａ，７０ｂ，８０ａ，８０ｂ，９０，１００ａ，１１０ａ，１１０ｂ，１２０であり、第２入賞手段は、７０ｃ，８０ｃ，８０ｄ，１００ｂ，１１０ｃ，１１０ｄである。
【００４１】
そして、例えば、第１入賞手段に遊技球が１個入賞した場合には、遊技球が５個払い出されるように設定し、第２入賞手段に遊技球が１個入賞した場合には、遊技球が１０個払い出されるように、第１入賞手段と、第２入賞手段とでは異なる数量の遊技球が払い出されるように設定するのである。
【００４２】
図４は、本発明における払出機構の一例を示すブロック図であり、図５は、これに対応したフローチャートである。図４に示すように、入賞手段全てに払出しスイッチを設けるようにしている。この場合には図５に示すように、遊技球が払出しスイッチＡを通過した場合には５個の遊技球が払い出され、払出しスイッチＢを通過した場合には１０個の遊技球が払い出され、払出しスイッチＣを通過した場合には１５個の遊技球が払い出されるのである。
【００４３】
図６は、本発明における払出機構の他例を示すブロック図であり、図７は、これに対応したフローチャートである。図６に示すように、遊技球がスイッチＡを通過した場合には、主制御基板のメモリに５個の払出しが記憶される。また、遊技球がスイッチＢを通過した場合には主制御基板のメモリに１０個の払出しが記憶される。そして、遊技球が払出しスイッチを通過した場合には、図７のフローチャートにしたがって、５個、１０個、１５個の遊技球が払い出されるのである。
【００４４】
図８は、払出装置の盤面裏での設置位置を示した図であり、図９は払出装置の斜視図、図１０は払出装置の断面図である。図８に示すように、払出装置２１は盤面裏の右中央部分に設置されており、盤面裏上方から供給される遊技球をカウントして所定数の遊技球を盤面表下方に設置されている上皿に排出するのである。この払出装置２１は図９及び図１０に示すように、通路Ａと通路Ｂの２箇所の通路に遊技球が送り込まれ、払出モーター２２によって、払出ローター２３が回転し、１個ずつ払出センサー２４を通過することによって、カウントされ、払出制御基板の信号によって所定個数の遊技球が払い出されるのである。
【００４５】
尚、本発明の趣旨を逸脱しない範囲において、種々の実施形態をとることができることは言うまでもない。上述した実施形態では、遊技球の払い出し数を２種類の払出数の例で説明しているが、３種類以上の払出数を持つパチンコ遊技機に本発明の構成を適用可能なのは言うまでもない。また、盤面構造物（振分装置）上述の実施形態においては１個の場合について説明しているが、盤面上に複数個設置してもよいものである。さらに、この盤面構造物（振分装置）には、非電動式のものや、回転モーターを使用した電動式のものなど、様々な種類のものを適用することができるものである。
【００４６】
尚、上述した各実施形態で説明した第１入賞手段及び第２入賞手段はいずれも回転モーターなどの電動手段を伴わない、非電動式の入賞手段である。
【図面の簡単な説明】
【００４７】
【図１】パチンコ遊技機の全体を示す正面図である。
【図２】本発明に係るパチンコ遊技機の第１の実施形態を示す図である。
【図３】本発明に係るパチンコ遊技機の第２の実施形態を示す図である。
【図４】払い出しブロック図である。
【図５】払い出しフローチャートである。
【図６】払い出しブロック図である。
【図７】払い出しフローチャートである。
【図８】払出装置の設置位置を示した図である。
【図９】本発明で使用する払出装置の斜視図である。
【図１０】本発明で使用する払出装置の断面図である。
【符号の説明】
【００４８】
１  パチンコ遊技機
５  遊技盤
１０  入賞手段
１３  上皿
１９  カードリーダーユニット
２１  払出装置
【図１】
2006305238.tif 000003
【図２】
2006305238.tif 000004
【図３】
2006305238.tif 000005
【図４】
2006305238.tif 000006
【図５】
2006305238.tif 000007
【図６】
2006305238.tif 000008
【図７】
2006305238.tif 000009
【図８】
2006305238.tif 000010
【図９】
2006305238.tif 000011
【図１０】
2006305238.tif 000012